(57)【特許請求の範囲】
【請求項１】
一端側に前部音響端子が存在し、他端側に後部音響端子が存在する円筒状のユニットケース内に、支持リングに張設された振動板と絶縁座に支持された固定極とを所定の間隔をもって対向的に配置してなるマイクロホンユニットを有し、
上記絶縁座に、上記後部音響端子からの音波を上記振動板の背面側に導く複数個の音孔が穿設されているとともに、上記絶縁座の背面側には、上記音孔のすべてを覆うように形成された音響抵抗材と、上記音響抵抗材に圧縮力を加えて、その音響抵抗を可変とする音響抵抗調整手段とが設けられている単一指向性コンデンサマイクロホンにおいて、
上記音響抵抗材には、上記音孔のうちの所定の音孔を音響的に閉塞する音孔閉塞手段が設けられており、上記音孔閉塞手段が、上記音響抵抗材の上記音孔と対向する部位に点在的に設けられた非通気性部材からなることを特徴とする単一指向性コンデンサマイクロホン。
【請求項２】
上記非通気性部材が、上記音響抵抗材に塗布もしくは貼着された樹脂材よりなることを特徴とする請求項１に記載の単一指向性コンデンサマイクロホン。
【請求項３】
上記非通気性部材が、上記音響抵抗材の加熱溶融物よりなることを特徴とする請求項１に記載の単一指向性コンデンサマイクロホン。
【請求項４】
上記非通気性部材が、上記音孔に嵌合する突起状に形成されていることを特徴とする請求項１ないし３のいずれか１項に記載の単一指向性コンデンサマイクロホン。
【請求項５】
一端側に前部音響端子が存在し、他端側に後部音響端子が存在する円筒状のユニットケース内に、支持リングに張設された振動板と絶縁座に支持された固定極とを所定の間隔をもって対向的に配置してなるマイクロホンユニットを有し、
上記絶縁座に、上記後部音響端子からの音波を上記振動板の背面側に導く複数個の音孔が穿設されているとともに、上記絶縁座の背面側には、上記音孔のすべてを覆うように形成された音響抵抗材と、上記音響抵抗材に圧縮力を加えて、その音響抵抗を可変とする音響抵抗調整手段とが設けられている単一指向性コンデンサマイクロホンの音響抵抗調整方法において、
粗調整工程として、上記音孔のうちの所定の音孔を所定の音孔閉塞手段により音響的に閉塞したのち、微調整工程として、上記音響抵抗調整手段により上記音響抵抗材に所定の圧縮力を加えることにより、上記後部音響端子から上記振動板の背面に至る音波通路に存在する音響抵抗を調整するにあたって、上記粗調整工程における上記音孔閉塞手段として、上記音響抵抗材の上記音孔と対向する部位に点在的に設けられた非通気性部材を用いることを特徴とする単一指向性コンデンサマイクロホンの音響抵抗調整方法。
【発明の詳細な説明】
【技術分野】
【０００１】
本発明は、単一指向性コンデンサマイクロホンおよびその音響抵抗調整方法に関し、さらに詳しく言えば、固定極を支持する絶縁座（インシュレータ）を音響端子間距離の異なる単一指向性コンデンサマイクロホンに対して共用可能とする技術に関するものである。
【背景技術】
【０００２】
単一指向性コンデンサマイクロホンは、音源からの音波を振動板の前面側に取り込む前部音響端子と、振動板の背面側に取り込む後部音響端子とを有し、後部音響端子から取り入れられる双方向性成分を音響抵抗で調整している。
【０００３】
後部音響端子側の音響抵抗値は、求められる指向性（例えば、カージオイド，ハイパーカージオイドもしくはスーパーカージオイド等）と、固定極の後部に存在する空気室のスチフネスに加えて、前部音響端子と後部音響端子との音響端子間距離に基づいて設計される（非特許文献１の特に図１参照）。
【０００４】
通常の単一指向性コンデンサマイクロホンでは、その音響端子間距離は長いものでも５ｃｍ以下であることから、比較的低い音響抵抗値が採用される。
【０００５】
これに対して、マイクロホンユニットに音響管を取り付けた狭指向性マイクロホンになると、低い周波数での音響端子間距離は５０ｃｍにも達することがある。
【０００６】
このため、コンデンサエレメントの振動板の前面には、音響管内の音響質量が加わることから、例えばハイパーカージオイド等の単一指向性を得るためには、後部音響端子側の音響抵抗値をきわめて高くする必要がある。そればかりでなく、正確な指向性を実現するうえで、高い音響抵抗値でありながら、細かな調整が必要とされる。
【０００７】
ところで、コンデンサマイクロホンにおいて、固定極は絶縁座（インシュレータ）に支持され、単一指向性にあっては、後部音響端子からの音波を振動板の背面側に作用させるため、固定極には多孔の電極板が用いられるとともに、絶縁座には音波通路としての音孔が穿設され、また、固定極との間に空気室が存在することから、絶縁座は音響抵抗値を設計するうえで重要な要素となる。
【０００８】
他方において、固定極は、絶縁座内に挿通される電極引き出しロッドを介してインピーダンス変換器としてのＦＥＴ（電界効果トランジスタ）のゲートに接続されるため、絶縁座には、体積抵抗率と表面抵抗率が高い材料（一例として、ポリカーボネイト）が用いられる。
【０００９】
このような高抵抗率の材料であっても、切削加工により絶縁座を作製すると、その表面に挽き目や小さいひびが少なからずできてしまうため、これによって表面抵抗率が低下することがある。
【００１０】
射出成型によれば、このような切削加工による問題はほとんど生じないが、音響端子間距離が短い通常の単一指向性コンデンサマイクロホンと、音響管を有する狭指向性のコンデンサマイクロホンとでは、要求される音響抵抗値との関係から、絶縁座に穿設される音孔の径や数が異なる。
【００１１】
また、同じ狭指向性のコンデンサマイクロホンであっても、その音響抵抗値との関係から、使用する音響管の長さによって、絶縁座に穿設される音孔の径や数が異なるため、それらの機種ごとに成型金型を作製するには、かなりのコスト負担がかかる。
【先行技術文献】
【非特許文献】
【００１２】
【非特許文献１】溝口章夫著「指向性コンデンサ・マイクロホンの小型化に関する考察」日本音響学会誌３１巻５号（１９７５）
【発明の概要】
【発明が解決しようとする課題】
【００１３】
したがって、本発明の課題は、単一指向性コンデンサマイクロホンにおいて、固定極を支持する、好ましくは射出成型による絶縁座（インシュレータ）を音響端子間距離の異なるマイクロホンに対して共用可能とすることにある。
【課題を解決するための手段】
【００１４】
上記課題を解決するため、請求項１に係る発明は、一端側に前部音響端子が存在し、他端側に後部音響端子が存在する円筒状のユニットケース内に、支持リングに張設された振動板と絶縁座に支持された固定極とを所定の間隔をもって対向的に配置してなるマイクロホンユニットを有し、
上記絶縁座に、上記後部音響端子からの音波を上記振動板の背面側に導く複数個の音孔が穿設されているとともに、上記絶縁座の背面側には、上記音孔のすべてを覆うように形成された音響抵抗材と、上記音響抵抗材に圧縮力を加えて、その音響抵抗を可変とする音響抵抗調整手段とが設けられている単一指向性コンデンサマイクロホンにおいて、
上記音響抵抗材には、上記音孔のうちの所定の音孔を音響的に閉塞する音孔閉塞手段が設けられており、上記音孔閉塞手段が、上記音響抵抗材の上記音孔と対向する部位に点在的に設けられた非通気性部材からなることを特徴としている。
【００１６】
請求項２に係る発明は、上記請求項１において、上記非通気性部材が、上記音響抵抗材に塗布もしくは貼着された樹脂材よりなることを特徴としている。
【００１７】
請求項３に係る発明は、上記請求項１において、上記非通気性部材が、上記音響抵抗材の加熱溶融物よりなることを特徴としている。
【００１８】
請求項４に係る発明は、上記請求項１ないし３のいずれか１項において、上記非通気性部材が、上記音孔に嵌合する突起状に形成されていることを特徴としている。
【００２１】
請求項５に係る発明は、一端側に前部音響端子が存在し、他端側に後部音響端子が存在する円筒状のユニットケース内に、支持リングに張設された振動板と絶縁座に支持された固定極とを所定の間隔をもって対向的に配置してなるマイクロホンユニットを有し、
上記絶縁座に、上記後部音響端子からの音波を上記振動板の背面側に導く複数個の音孔が穿設されているとともに、上記絶縁座の背面側には、上記音孔のすべてを覆うように形成された音響抵抗材と、上記音響抵抗材に圧縮力を加えて、その音響抵抗を可変とする音響抵抗調整手段とが設けられている単一指向性コンデンサマイクロホンの音響抵抗調整方法において、
粗調整工程として、上記音孔のうちの所定の音孔を所定の音孔閉塞手段により音響的に閉塞したのち、微調整工程として、上記音響抵抗調整手段により上記音響抵抗材に所定の圧縮力を加えることにより、上記後部音響端子から上記振動板の背面に至る音波通路に存在する音響抵抗を調整するにあたって、上記粗調整工程における上記音孔閉塞手段として、上記音響抵抗材の上記音孔と対向する部位に点在的に設けられた非通気性部材を用いることを特徴としている。
【発明の効果】
【００２５】
本発明によれば、絶縁座に穿設されている複数の音孔のうちの所定の音孔を音孔閉塞手段により音響的に閉塞することにより、後部音響端子側の音響抵抗値をおおまかに調整することができ、その後、音響抵抗調整手段により、音響抵抗材に所定の圧縮力を加えることにより、後部音響端子側の音響抵抗値を微調整することができる。したがって、絶縁座を音響端子間距離の短い通常の単一指向性コンデンサマイクロホンに仕様に基づいて設計すれば、その絶縁座を音響端子間距離の長い狭指向性単一指向性コンデンサマイクロホンにも適用することが可能となる。
【図面の簡単な説明】
【００２６】
【図１】本発明の単一指向性コンデンサマイクロホンが備えるマイクロホンユニットの一実施形態を示す断面図。
【図２】上記マイクロホンユニットを絶縁座の背面側から見た背面図。
【図３】上記マイクロホンユニットの後部音響端子側の構成を示す分解斜視図。
【図４】（ａ）〜（ｃ）音響端子間距離の異なる３機種の単一指向性コンデンサマイクロホンを示す側面図。
【図５】図４（ｃ）の狭指向性コンデンサマイクロホン用として音孔が塞がれた絶縁座を示す背面図。
【図６】（ａ）音響抵抗材により音孔が塞がれた絶縁座を示す背面図，（ｂ）音孔閉塞手段を有する音響抵抗材を示す正面図，（ｃ）そのＡ−Ａ線断面図。
【図７】（ａ）非通気性シート材により音孔が塞がれた絶縁座を示す背面図，（ｂ）非通気性シート材を示す正面図，（ｃ）音響抵抗材を示す正面図，（ｄ）非通気性シート材を音響抵抗材に貼り付ける状態を示す断面図。
【図８】音響抵抗材のアジャストナットによる微調整時（０回転時）における（ａ）ポーラパターン，（ｂ）その指向周波数応答を示すグラフ。
【図９】音響抵抗材のアジャストナットによる微調整時（０．５回転時）における（ａ）ポーラパターン，（ｂ）その指向周波数応答を示すグラフ。
【図１０】音響抵抗材のアジャストナットによる微調整時（１．０回転時）における（ａ）ポーラパターン，（ｂ）その指向周波数応答を示すグラフ。
【図１１】音響抵抗材のアジャストナットによる微調整時（１．５回転時）における（ａ）ポーラパターン，（ｂ）その指向周波数応答を示すグラフ。
【図１２】音響抵抗材のアジャストナットによる微調整時（２．０回転時）における（ａ）ポーラパターン，（ｂ）その指向周波数応答を示すグラフ。
【発明を実施するための形態】
【００２７】
次に、図１ないし図１２により、本発明の実施形態について説明するが、本発明はこれに限定されるものではない。
【００２８】
まず、図４を参照して、本発明には、図４（ａ）に示すように、音響端子間距離が例えば７．９ｍｍの通常形態の単一指向性コンデンサマイクロホン１Ａ，図４（ｂ）に示すような音響管２Ｂを有し、音響端子間距離が例えば２２０．４ｍｍであるミドルサイズの狭指向性コンデンサマイクロホン１Ｂ，図４（ｃ）に示すような音響管２Ｃを有し、音響端子間距離が例えば４３３．４ｍｍであるロングサイズの狭指向性コンデンサマイクロホン１Ｃ等の単一指向性コンデンサマイクロホン（以下、単に「マイクロホン」ということがある。）が含まれるが、いずれも図１に示すマイクロホンユニット１を備えている。
【００２９】
マイクロホンユニット１は、黄銅合金等の金属材からなる円筒状のユニットケース１０を備えている。図１において、ユニットケース１０の左側の前方開口部分が収音時に図示しない音源側に向けられる前部音響端子１０ａで、右側の後方開口部分が後部音響端子１０ｂである。
【００３０】
なお、実機においては、ユニットケース１０は、図示しないマイクロホンケース内に収納され、多くの場合、そのマイクロホンケースに後方からの音波を取り入れる開口部が設けられている。また、図４（ｂ），（ｃ）に示す狭指向性マイクロホン１Ｂ，１Ｃにおいて、音響管２Ｂ，２Ｃは、マイクロホンユニット１の前部音響端子１０ａに直結されている。
【００３１】
ユニットケース１０内には、支持リング（ダイアフラムリング）２１に張設された振動板２０と、絶縁座３１に支持された固定極３０とを図示しないスペーサ部材を介して対向的に配置してなる静電型の音響電気変換器が収納されている。
【００３２】
振動板２０には、片面に金属蒸着膜を有する合成樹脂の薄膜が用いられ、固定極３０には、例えばアルミニウム材よりなる電極板が用いられるが、バックエレクトレット型の場合、固定極３０にエレクトレット誘電体膜が一体に融着される。膜エレクトレット型の場合には、振動板２０側にエレクトレット誘電体膜が一体に融着される。
【００３３】
絶縁座３１には、体積抵抗率と表面抵抗率が高い材料（一例として、ポリカーボネイト）が用いられる。絶縁座３１は、切削加工により作製されてもよいが、高い表面抵抗率を維持するうえで、射出成型により作製されることが好ましい。
【００３４】
後部音響端子１０ｂからの音波を振動板２０の背面側（固定極３０と対向する面側）に作用させるため、固定極３０には多孔板が用いられるとともに、絶縁座３１には複数の音波通路としての音孔３２が穿設されている。
【００３５】
また、絶縁座３１の中央部分には、電極引出ロッド３４が挿通されている。電極引出ロッド３４は、図示しない配線材を介して固定極３０と電気的に接続されている。
【００３６】
ユニットケース１０の後方開口部の内周面には、雌ねじ１０ｃが形成されており、これと螺合する雄ねじを有するロックリング３５により、振動板２０と固定極とを含む音響電気変換器が絶縁座３１を介して背面側から押圧され、ユニットケース１０の前方開口部側に設けられているストッパリング１１との間で強固に固定される。
【００３７】
なお、ユニットケース１０が例えば塑性変形容易なアルミニウム材からなる場合には、ロックリング３５に代えて、その後部開口端の端縁を内側にカールさせてかしめることにより、絶縁座３１の背面が押圧されることもある。
【００３８】
図２および図３を併せて参照して、絶縁座３１の背面３１ａ側（反固定極支持面側）には、音響抵抗材４０と、音響抵抗材４０に圧縮力を加えてその音響抵抗値を可変とする音響抵抗調整手段５０とが設けられている。
【００３９】
なお、この実施形態において、絶縁座３１の固定極支持面側には、凹部よりなる所定容積の空気室３３が形成されており、図示されていないが、この空気室３３にも例えばフェルト材等からなる音響抵抗材が収納されてよい。
【００４０】
音響抵抗材４０には、通気性を有するスポンジ材，樹脂シートもしくは不織布等が用いられ、すべての音孔３２を覆うように所定厚みの円盤状に形成されている。この音響抵抗材４０は、音響抵抗調整手段５０により圧縮されるが、好ましくは、事前に所定の圧縮率で圧縮成形されているとよい。
【００４１】
この実施形態において、音響抵抗調整手段５０として、音響抵抗材４０の片面全面を覆うアジャストナット５１が用いられる。
【００４２】
このアジャストナット５１を取り付けるため、絶縁座３１の背面側の中央部には、アジャストナット５１の雌ねじ孔５２と螺合する雄ねじ筒３６が植設されている。また、音響抵抗材４０にも、雄ねじ筒３６が挿通される孔４１が穿設される。なお、電極引出ロッド３４は、雄ねじ筒３６内に挿通される。
【００４３】
このように、音響抵抗材４０は、絶縁座３１とアジャストナット５１との間に挟持されるため、音響抵抗材４０には、その周端面４０ａから音波が入り込むことになり、より高い音響抵抗を得るうえで好ましい。
【００４４】
絶縁座３１には、複数の音孔３２が設けられるが、絶縁座３１を例えば図４（ａ）〜（ｃ）に示すマイクロホン１Ａ，１Ｂ，１Ｃに共用可能とするため、その音孔３２の数は、要求される後部音響端子１０ｂ側の音響抵抗がもっとも低いとされる図４（ａ）の通常形態の単一指向性マイクロホン１Ａにも適用可能なように設定される。
【００４５】
この実施形態では、外径が２４ｍｍの絶縁座３１に対して、音孔３２を孔径１ｍｍとして１２個穿設している。各音孔３２は音響抵抗を調整するうえで同一径であることが好ましいが、配置については均等配置である必要はない。
【００４６】
本発明では、音響抵抗を調整するにあたって、所定の音孔３２を閉塞して粗調整を行い、音響抵抗材４０を圧縮して微調整を行う。
【００４７】
一例として、１２個ある音孔３２のうち、粗調整ステップでは、図４（ａ）の通常形態のマイクロホン１Ａの場合には１〜３個の音孔を閉じ、図４（ｂ）の狭指向性のミドルマイクロホン１Ｂの場合には９個の音孔を閉じ、図４（ｃ）の狭指向性のロングマイクロホン１Ｃの場合には１０個の音孔を閉じる。図５に１０個の音孔を閉じ、２個の音孔を有効として残した状態を示す（黒丸が閉じられた音孔）。
【００４８】
音孔３２の閉塞は、例えばエポキシ樹脂等の注入やテープ貼り等により行われてもよいが、図６により、本発明で好ましく採用される第１の音孔閉塞手段について説明する。
【００４９】
この第１の音孔閉塞手段は、図６（ｂ）に示すように、音響抵抗材４０の音孔３２と対向する部位に点在的に設けられた非通気性部材４２よりなる。例えば図５のように、１０個の音孔を閉じ、２個の音孔を有効として残すとすれば、非通気性部材４２は、図５の黒丸にて示す音孔の各部分に対応して１０箇所に設けられる。
【００５０】
このように、非通気性部材４２を有する音響抵抗材４０を絶縁座３１の背面３１ａ側に配置することにより、図６（ａ）に示すように、鎖線丸印の部分の１０個の音孔３２が非通気性部材４２により閉じられ、実線丸印で示す２個の音孔３２が音響抵抗材４０と連通状態となる。
【００５１】
非通気性部材４２は、音響抵抗材４０に塗布もしくは貼着された樹脂材により形成されてもよいし、音響抵抗材４０が通気性を有するスポンジ材や樹脂シート等からなる場合には、その一部分を加熱溶融して非通気の目つぶし状態としてもよい。
【００５２】
また、図６（ｃ）に示すように、非通気性部材４２が、音孔３２に嵌合する突起状に形成されていることが好ましい。これによれば、アジャストナット５１を回して音響抵抗材４０を圧縮する際、音響抵抗材４０の連れ回りによる位置ずれを防止することができる。
【００５３】
次に、図７を参照して、参考実施形態としての第２の音孔閉塞手段について説明する。
【００５４】
この第２の音孔閉塞手段は、図７（ｂ）に示す非通気性シート材６０からなる。この非通気性シート材６０は、図７（ｃ）に示す音響抵抗材４０とほぼ同径で、図７（ｄ）に示すように、音響抵抗材４０の片面（絶縁座３１との対向面）に添設された状態で、音響抵抗材４０とともに、絶縁座３１の背面３１ａ側に配置される。その状態を図７（ａ）の背面図に示す。
【００５５】
非通気性シート材６０は、閉塞すべき音孔３２を覆うが、それ以外の音孔３２を音響抵抗材４０と連通状態とする開口部６１を備えている。
【００５６】
例えば図５のように、黒丸で示されている１０個の音孔を閉じ、白丸で示されている２個の音孔を有効として残すとすれば、非通気性シート材６０の中央部分には、その２個の図示白丸の音孔を内部に含むような楕円状の開口部６１が設けられる。
【００５７】
なお、図７の例では、楕円状の開口部６１内に、音響抵抗材４０と連通する２個の音孔３２を含ませるようにしているが、開口部６１は、例えば音響抵抗材４０と連通する音孔の１個単位で個別に設けられてもよい。また、非通気性シート材６０を熱融着可能なフィルム材とし、音響抵抗材４０の片面にあらかじめ熱融着しておいてもよい。
【００５８】
いずれにしても、上記第１および第２の音孔閉塞手段によれば、絶縁座３１を例えば図４（ａ）〜（ｃ）に示す単一指向性コンデンサマイクロホンに共用するにあたって、その都度、所定の音孔３２を樹脂材等にて封止する場合に比べて、生産性を高めることができるので好ましい。
【００５９】
次に、図４（ｃ）に示す狭指向性のロングマイクロホン１Ｃ（粗調整として、図５に示すように、あらかじめ１０個の音孔を閉じ、２個の音孔を有効として残された形態のマイクロホン）について、音響抵抗調整手段５０としてのアジャストナット５１により、音響抵抗材４０の音響抵抗値を微調整したときのポーラパターンと、指向周波数応答特性を図８ないし図１２に示す（各図におけるポーラパターンは１００Ｈｚ時のものである）。
【００６０】
なお、この例では、音響抵抗材４０として、ブリヂストン社製のスポンジ材（品番ＨＲ−５０）を予め１／５に圧縮（圧縮率：１／５）したものを用いている。また、音響抵抗材４０は、アジャストナット５１の０．５回転（１８０゜回転）ごとに０．２ｍｍ（約４％相当）だけ軸方向に圧縮される。
【００６１】
まず、図８（ａ），（ｂ）は、アジャストナット５１による音響抵抗材４０に対する圧縮力をほぼ「０」（０．０回転で、圧縮率：１／５のまま）とした無圧縮時のポーラパターンと、指向周波数応答特性を示している。
【００６２】
次に、図９（ａ），（ｂ）は、アジャストナット５１を０．５回転（１８０゜回転）させ、音響抵抗材４０の圧縮率を０．０回転時の１／５から１／６．２５としたときのポーラパターンと、指向周波数応答特性を示している。
【００６３】
次に、図１０（ａ），（ｂ）は、アジャストナット５１を１回転（３６０゜回転）させ、音響抵抗材４０の圧縮率を０．５回転時の１／６．２５から１／８．３３としたときのポーラパターンと、指向周波数応答特性を示している。
【００６４】
次に、図１１（ａ），（ｂ）は、アジャストナット５１を１．５回転（５４０゜回転）させ、音響抵抗材４０の圧縮率を１．０回転時の１／８．３３から１／１２．５としたときのポーラパターンと、指向周波数応答特性を示している。
【００６５】
次に、図１２（ａ），（ｂ）は、アジャストナット５１を２．０回転（７２０゜回転）させ、音響抵抗材４０の圧縮率を１．５回転時の１／１２．５から１／２５．０としたときのポーラパターンと、指向周波数応答特性を示している。
【００６６】
図８（ａ）〜図１２（ａ）のポーラパターンから分かるように、音響抵抗材４０の圧縮力を高めるにしたがって、双指向性に近いパターン（図８（ａ））から単一指向性のパターン（図９（ａ）〜図１０（ａ））を経て無指向性に近いパターンへと連続的変化するため、所望とするパターンのところで、アジャストナット５１の回転を止めれば、そのパターンに合った音響抵抗値を得ることができる。
【００６７】
なお、図４（ｃ）に示す音響端子間距離が４３３．４ｍｍの狭指向性のロングマイクロホン１Ｃについて、その最適な音響抵抗値を検証すると、アジャストナット５１を０．５回転させたとき、図９（ｂ）の指向周波数応答において、１００Ｈｚ時の振幅が９０゜と１８０゜でほぼ同程度に下がっていることから、アジャストナット５１を０．５回転させたときの音響抵抗値を一つの目安として、０．５回転のあたりでアジャストナット５１を締めたり緩めたりしながら、最適値を探る作業を行う。
【００６８】
以上説明したように、本発明によれば、絶縁座３１に、要求される後部音響端子１０ｂ側の音響抵抗がもっとも低いとされる数の音孔３２を穿設し、その音孔３２のうち、所定の音孔３２を音孔閉塞手段４２により音響的に閉塞することにより、後部音響端子１０ｂ側の音響抵抗値をおおまかに調整することができ、その後、音響抵抗調整手段５０（一例としてのアジャストナット５１）により、音響抵抗材４０に所定の圧縮力を加えて、後部音響端子側の音響抵抗値を微調整することにより、絶縁座３１を音響端子間距離の短い例えば図４（ａ）の通常の単一指向性コンデンサマイクロホン１Ａに仕様に基づいて設計すれば、その絶縁座３１を音響端子間距離の長い例えば図４（ｂ），（ｃ）の狭指向性単一指向性コンデンサマイクロホンにも適用することが可能となる。
【符号の説明】
【００６９】
１Ａ〜１Ｃ  単一指向性マイクロホン
１  マイクロホンユニット
１０  ユニットケース
１１  ストッパリング
２０  振動板
２１  支持リング（ダイアフラムリング）
３０  固定極
３１  絶縁座（インシュレータ）
３２  音孔
４０  音響抵抗材
４０ａ  音響抵抗材の周端面
４２  音孔閉塞手段
５０  音響抵抗調整手段
５１  アジャストナット
６０  非通気性シート材
６１  開口部
【図１】
0005856872.tif 000002
【図２】
0005856872.tif 000003
【図３】
0005856872.tif 000004
【図４】
0005856872.tif 000005
【図５】
0005856872.tif 000006
【図６】
0005856872.tif 000007
【図７】
0005856872.tif 000008
【図８】
0005856872.tif 000009
【図９】
0005856872.tif 000010
【図１０】
0005856872.tif 000011
【図１１】
0005856872.tif 000012
【図１２】
0005856872.tif 000013